(57)【要約】【課題】  目を使っている際の眼性疲労の症状を軽減すること。【解決手段】  酸素冨化膜１０１を搭載した空気供給装置１０７と、水泳などのスポーツをする際に使用するゴーグル１１１とを備え、空気供給装置１０７からゴーグル１１１内に、管１１２を介して酸素濃度の高い空気を供給するように構成されている。これによって、高酸素濃度の空気が目に触れるので眼性疲労の症状を軽減することが可能となる。【選択図】  図１
2005046413.tif 000002
【特許請求の範囲】
【請求項１】
酸素冨化膜を有し酸素濃度の高い空気を供給する空気供給装置と、水泳やスキー等のスポーツをする際に使用するゴーグルとを備え、前記空気供給装置から前記ゴーグルへ空気を供給するゴーグル装置。
【請求項２】
ゴーグルに空気排出用の孔を設けた請求項１記載のゴーグル装置。
【請求項３】
空気供給装置はタイマーを備えてなる請求項１または２記載のゴーグル装置。
【請求項４】
ゴーグルの外部または内部またはその両方に、空気供給装置から空気が供給されている間、点灯または点滅する発光体を備えてなる請求項１〜３のいずれか１項に記載のゴーグル装置。
【請求項５】
ゴーグルまたは空気供給装置に、該空気供給装置から供給される残り時間を表示する表示装置を備えてなる請求項１〜４のいずれか１項に記載のゴーグル装置。
【発明の詳細な説明】
【技術分野】
【０００１】
本発明は、目に酸素の豊富な空気を供給するゴーグル装置に関するものである。
【背景技術】
【０００２】
従来、この種のゴーグルは、水泳の際に使用するものとしては、水が目に入らないように（例えば、特許文献１参照）、また、スキーの際に使用するものとしては、風や雪が目に入らないように構成されていた（例えば、特許文献２参照）。
【０００３】
図７は、前記公報に記載された従来の水泳の際に使用するゴーグルを示したものである。図７に示したように、両眼に当てるアイカップ１は鼻ベルト２で連結され、また、アイカップ１の他端は頭に装着できるようにバンド３で連結されていた。
【０００４】
図８は、前記公報に記載された従来のスキーの際に使用するゴーグルを示すものである。図８に示したように、ゴーグル枠５にゴーグルレンズ４がはめ込まれ、ゴーグル枠５の両端をバンド６に連結させて頭に装着できるようにしていた。
【特許文献１】特開２００３−１５３９３６号公報
【特許文献２】特開昭５８−２１７１８号公報
【発明の開示】
【発明が解決しようとする課題】
【０００５】
しかしながら、前記従来の構成では、酸素濃度が高い空気を目に供給することはできなかった。
【０００６】
本発明は、上記従来の課題を解決するもので、目に酸素濃度の高い空気を供給することによって、眼性疲労等の症状を軽減することを目的とする。
【課題を解決するための手段】
【０００７】
本発明のゴーグル装置は、ゴーグルと、酸素冨化膜を有して高濃度の酸素を前記ゴーグルに供給出来る空気供給装置を備えたものである。
本発明によれば、空気供給装置から酸素濃度の高い空気を目に供給すことが可能となる。
【発明の効果】
【０００８】
以上の説明から明らかのように、本発明のゴーグル装置によれば、酸素冨化膜を搭載した空気供給装置から酸素濃度の高い空気をゴーグル内に供給することによって、該ゴーグル装置を装着した利用者の眼性疲労等の症状を素早く軽減することができるという効果が得られる。
【発明を実施するための最良の形態】
【０００９】
第１の発明は、酸素冨化膜を搭載した空気供給装置から、ゴーグル内部に酸素濃度の高い空気を供給することにより、酸素濃度の高い空気を目に供給し、目の充血や眼性疲労等の症状を軽減させることができる。
【００１０】
第２の発明は、供給された空気を逃がす孔を設けることにより、ゴーグル内の空気を常に新鮮な酸素濃度の高い空気と入れ替えることができ、前記同様に目の充血や眼性疲労等の症状を効率よく軽減することができる。
【００１１】
第３の発明は、タイマーを設けることにより、必要な所定の時間の間だけ自動的に酸素濃度の高い空気を供給することができ、これによって、電池電源を節約すると共に、自動的に切れるので利便性が向上する。
【００１２】
第４の発明は、ゴーグルの外部または内部に、空気が供給されている間だけ点灯または点滅する発光体を設けることにより、使用者が酸素濃度の高い空気が供給されていることを認知することができ、また、消灯することによって空気の供給が終了したことを認知することができるので一層使いやすくなる。
【００１３】
第５の発明は、ゴーグルまたは空気供給装置に、空気が供給される残り時間を表示する表示装置を設けることにより、使用者が残り時間を認知することができ利便性が向上する。
【００１４】
以下、本発明の実施の形態について、図１〜図６を参照しながら説明する。なお、同一構成要素には、同一番号を付すものとし詳細な設明は省略する。
【００１５】
（実施の形態１）
図１は、本発明の実施の形態１における水泳をする際に使用するゴーグルの斜視図を示すものである。図１において、酸素冨化膜１０１を具備し、酸素冨化膜１０１を挟んで一方に空気吸引口１０２と、他方に酸素濃度の高い空気を排出する排出口１０３を備えた密閉容器１０４と、密閉容器１０４の排出口１０３から酸素濃度の高い空気を吸い出すポンプ１０５と、ポンプ１０５を駆動制御する制御装置１０６とから構成された空気供給装置１０７と、目を覆うアイカップ１０８と、アイカップ１０８同士を繋ぐ鼻ベルト１０９と、アイカップ１０８を頭に固定するためのベルト１１０から構成されたゴーグル１１１と、空気供給装置１０７からゴーグル１１１のアイカップ１０８に酸素濃度の高い空気を送る管１１２から構成されている。
【００１６】
この構成において、制御装置１０６に駆動命令が入力された場合、制御装置１０６は、ポンプ１０５を駆動させる。ポンプ１０５の駆動によって、密閉容器１０４内は負圧となり、空気は、空気吸引口１０２から密閉容器１０４内に入り、酸素冨化膜１０１を通過することによって、酸素濃度が高い空気となる。酸素濃度が高くなった空気は、密閉容器１０４の排出口１０３からポンプ１０５に入り、管１１２を介して、ゴーグル１１１のアイカップ１０８内に入り、目に供給される。
【００１７】
以上のように構成されたゴーグル１１１において、酸素濃度が高い空気が目に供給されることによって、目の充血、結膜炎、または眼精疲労等の症状を軽減することができる。なお、本実施例において、アイカップ１０８は、両眼用に２つ用いたものを示したが、片目用としてアイカップ１０８は、１つでも良い。
【００１８】
図２は、本発明の実施の形態１におけるスキーをする際に使用するゴーグルの斜視図である。図２において、酸素冨化膜１０１を具備し、酸素冨化膜１０１を挟んで一方に空気吸引口１０２と、他方に酸素濃度の高い空気を排出する排出口１０３を備えた密閉容器１０４と、密閉容器１０４の排出口１０３から酸素濃度の高い空気を吸い出すポンプ１０５と、ポンプ１０５を駆動制御する制御装置１０６とから構成された空気供給装置１０７と、ゴーグルレンズ１１３が嵌め込まれたゴーグル枠１１４と、ゴーグルを頭に装着するためのバンド１１５から構成されたゴーグル１１６と、空気供給装置１０７からゴーグル１１６に酸素濃度の高い空気を送る管１１２から構成されている。
【００１９】
この構成において、制御装置１０６に駆動命令が入力された場合、制御装置１０６は、ポンプ１０５を駆動させる。ポンプ１０５の駆動によって、密閉容器１０４内は負圧となり、空気は、空気吸引口１０２から密閉容器１０４内に入り、酸素冨化膜１０１を通過することによって、酸素濃度が高い空気となる。酸素濃度が高くなった空気は、密閉容器１０４の排出口１０３からポンプ１０５に入り、管１１２を介して、ゴーグル１１６内に入り、目に供給される。
【００２０】
以上のように構成されたゴーグル１１６において、酸素濃度が高い空気が目に供給されることによって、目の充血、結膜炎、または眼精疲労等の症状を軽減することができる。
【００２１】
（実施の形態２）
図３は、本発明の実施の形態２における水泳をする際に使用するゴーグルの斜視図を示すものである。なお、空気供給装置１０７から、ゴーグル１１１に、酸素濃度の高い空気を供給する動作原理は、本発明の実施の形態１と同じであり、詳細な説明は省略する。
【００２２】
図３に示したように、ゴーグル１１２のアイカップ１０８には、複数の孔１１７が設けられている。ゴーグル１１２において、空気供給装置１０７から供給される酸素濃度の高い空気は、管１１２を介してゴーグル１１２のアイカップ１０８に入り、目に供給される。そして、アイカップ１０８に設けられた孔１１７から排出される。したがって、新鮮な酸素濃度の高い空気が常にアイカップ１０８内を通過するので、ゴーグル１１２内の空気を常に新鮮な酸素濃度の高い空気を入れ替えることができ、目の充血、結膜炎、または眼性疲労の症状を更に軽減することができる。
【００２３】
（実施の形態３）
図４は、本発明の実施の形態３における水泳をする際に使用するゴーグルの斜視図を示すものである。図４に示したように、空気供給装置１０７に、タイマー１１８を設け、タイマー１１８で設定した時間の間、制御装置１０６は、ポンプ１０５を駆動させるようにしている。
【００２４】
以上のように構成されたゴーグル１１１において、タイマー１１８で設定した時間の間だけ、ポンプ１０５を駆動させることによって、所定の時間の間だけ、空気供給装置１０７から酸素濃度の高い空気がゴーグル１１１に供給されるので、常時運転することがなくなり、停止の操作をする手間が省けるとともに、省エネを図ることができるようになる。
【００２５】
（実施の形態４）
図５は、本発明の実施の形態４における水泳をする際に使用するゴーグルの斜視図を示すものである。図５に示したように、空気供給装置１０７から空気が供給されている間だけ、制御装置１０６は、ケーブル１１９を介してゴーグル１１１のアイカップ１０８の外部表面に設けた発光体１２０に電気を供給し、発光体１２０を点滅させる。
【００２６】
以上のように構成されたゴーグル１１１において、タイマー１１８で設定した時間の間だけ、ポンプ１０５を駆動させることによって、所定の時間の間だけ、空気供給装置１０７から酸素濃度の高い空気がゴーグル１１１に供給される。その間、アイカップ１０８の外部表面に設けた発光体１２０を点滅させるので、使用者は、酸素濃度の高い空気が供給されていることを実感することができるとともに、空気の供給が終われば、酸素濃度の高い空気の供給が終わったことを感知することができる。なお、発光体１２０は、アイカップ１０８の内部に設けてもよい。
【００２７】
（実施の形態５）
図６は、本発明の実施の形態５における水泳をする際に使用するゴーグルの斜視図を示すものである。図６に示したように、空気供給装置１０７から空気が供給されている間だけ、制御装置１０６は、ケーブル１２１を介してゴーグル１１１のアイカップ１０８の内部表面に設けた表示装置１２２に、タイマー１１８から空気を供給する残り時間を表示させる。
【００２８】
以上のように構成されたゴーグル１１１において、タイマー１１８で設定した時間の間だけ、ポンプ１０５を駆動させることによって、所定の時間の間だけ、空気供給装置１０７から酸素濃度の高い空気がゴーグル１１１に供給される。その間、アイカップ１０８の内部表面に設けた表示装置１２２に、空気が供給される残り時間を表示させるので、使用者は、酸素濃度の高い空気が供給されていることを実感することができるとともに、空気の供給が終わるまでの時間を知ることができる。
【００２９】
なお、以上の実施の形態において、ゴーグルは、水泳をする際に使用するタイプとして、また、スキーをする際に使用するタイプとして説明したが、これに限定されるものではなく、相互に逆の場合のタイプであってもよい。
【産業上の利用可能性】
【００３０】
以上のように、本発明にかかるゴーグル装置は、空気供給装置から酸素濃度の高い空気を目に供給すことによって、眼精疲労等の症状を軽減することが可能となるので、例えば登山、バイク、スカイダイビング等のスポーツの際や、有害光線を扱う医療関係や溶接作業の現場において、さらにはパソコンなどのディスプレイを長時間見ている際にも適用可能である。要は従来ゴーグルを利用していた産業分野は勿論のこと、眼精疲労を解消する目的であればいずれのシーンでも適用することができる。
【図面の簡単な説明】
【００３１】
【図１】本発明の実施の形態１におけるゴーグル装置の水泳の際に使用するタイプとして示した斜視図
【図２】同装置のスキー等の際に使用するタイプとして示した斜視図
【図３】本発明の実施の形態２におけるゴーグル装置の斜視図
【図４】本発明の実施の形態３におけるゴーグル装置の斜視図
【図５】本発明の実施の形態４におけるゴーグル装置の斜視図
【図６】本発明の実施の形態５におけるゴーグル装置の斜視図
【図７】従来の水泳の際に使用するタイプのゴーグルの斜視図
【図８】従来のスキー等の際に使用するタイプのゴーグルの斜視図
【符号の説明】
【００３２】
１０１  酸素冨加膜
１０７  空気供給装置
１１１、１１６  ゴーグル
１１２  管
１１７  孔
１１８  タイマー
１２０  発光体
１２２  表示装置
【図１】
2005046413.tif 000003
【図２】
2005046413.tif 000004
【図３】
2005046413.tif 000005
【図４】
2005046413.tif 000006
【図５】
2005046413.tif 000007
【図６】
2005046413.tif 000008
【図７】
2005046413.tif 000009
【図８】
2005046413.tif 000010